(57)【要約】【課題】簡単な構成で、紙幣収納部や紙幣通路で発生したトラブルの復旧作業を容易かつ迅速に行うことができる紙幣処理装置を提供する。【解決手段】本体部２と、本体部２の前面２ａに配置された紙幣挿入口４と、本体部２の内部に配置された紙幣収納部２０と、本体部２の内部で紙幣挿入口４から紙幣収納部２０に通じる紙幣通路５とを備え、紙幣挿入口４に挿入された紙幣が紙幣通路５を通って紙幣収納部２０に収納される紙幣処理装置１であって、紙幣収納部２０の紙幣を回収する際には、紙幣収納部２０を前側にスライド移動させて、その前部を本体部２の前面２ａから取り出すと共に、紙幣収納部２０や紙幣一時保留用スペース２００で紙幣が引っ掛かるなどのトラブルが発生した場合には、紙幣収納部２を本体部２の側面２ｂから側方に回動させて、紙幣収納部２０の内部や紙幣一時保留用スペース２００を開くことができるようにした紙幣処理装置１である。【選択図】図１８
2008257379.tif 000002
【特許請求の範囲】
【請求項１】
本体部と、前記本体部の前面に配置された紙幣挿入口と、前記本体部の内部に配置された紙幣収納部と、前記本体部の内部で前記紙幣挿入口から前記紙幣収納部へ通じる紙幣通路とを備え、前記紙幣挿入口に挿入された紙幣が前記紙幣通路を通って前記紙幣収納部に収納される紙幣処理装置であって、
前記紙幣収納部の前端部を前記本体部の前面から露出させて、該露出した紙幣収納部の前端部を開口させることで収納紙幣を取り出すことができるようにする機構と、前記本体部の側面において前記紙幣収納部の内部を開く機構とを備え、
前記紙幣収納部は、前記本体部に設けた少なくとも該本体部の前面と一方の側面とに開口する装着部に装着されており、
前記紙幣収納部は、前記装着部から前記本体部の前方にスライド移動することで、前記本体部の前面からその一部が露出し、スライド移動しない状態で、その後端部が前記装着部から側方に回動してその後側の内部が開かれることを特徴とする紙幣処理装置。
【請求項２】
請求項１に記載の紙幣処理装置において、
前記紙幣通路は、前記紙幣収納部の紙幣一時保留用スペースに略直線的につながっており、該紙幣一時保留用スペースまで略直線的に搬送されてきた紙幣をその面に垂直な方向に移動することにより、前記紙幣収納部内に紙幣を集積する機構を具備しており、
前記紙幣収納部が回動することで、前記紙幣一時保留用スペースが開かれることを特徴とする紙幣処理装置。
【請求項３】
請求項１又は２に記載の紙幣処理装置において、
前記紙幣収納部には、該紙幣収納部の後端部が回動する時、該紙幣収納部に収納された紙幣の後端辺と本体部側の面とを保持するように構成された紙幣保持部が形成されていることを特徴とする紙幣処理装置。
【発明の詳細な説明】
【技術分野】
【０００１】
本発明は、自動販売機、両替機、パチンコ玉貸機、メダル貸機等に用いられる紙幣処理装置に関し、特に、パチンコ台等の遊技台の台間に設置される台間機に取り付けて好適な紙幣処理装置に関する。
【背景技術】
【０００２】
従来、パチンコ台等の遊技台の台間に設置される台間機がある。この台間機には、特許文献１乃至３に示すように、挿入された紙幣の真偽を判別すると共に、真券とみなされた紙幣のみを収容する紙幣処理装置が取り付けられている。紙幣処理装置は、本体部と、本体部の前面に配置された紙幣挿入口と、本体部の内部に配置された紙幣収納部と、紙幣挿入口から紙幣収納部に通じる紙幣通路とを備えている。この紙幣処理装置では、紙幣挿入口から挿入された紙幣が紙幣通路を通過する際に、紙幣通路に設けた紙幣識別手段によって紙幣の真偽が判別される。紙幣が真券とみなされたら紙幣収納部に収納されるようになっている。
【特許文献１】特開２００２−３５４０１号公報
【特許文献２】特開２００５−２０８７３４号公報
【特許文献３】特開２００６−２２７９１０号公報
【０００３】
ところで、上記の特許文献１の紙幣処理装置では、紙幣収納部に収納された紙幣を回収する際に、紙幣処理装置の本体部を台間機から前方に引き出し、その状態で、紙幣収納部を本体部の側面から側方に向かって開くことで、紙幣収納部の紙幣を取り出すようになっている。したがって、この紙幣処理装置では、紙幣収納部に収納された紙幣を回収する度に、紙幣処理装置の本体部を台間機から前方に引き出さなければならない。そのため、台間機と本体部の間に、本体部を前後方向に移動させるスライドレール等の移動機構を設ける必要がある。これにより、台間機や紙幣処理装置の構造が複雑になり、これらの製造コストが嵩むおそれがある。また、紙幣を回収する度に紙幣処理装置の本体部を台間機から前方に引き出すため、紙幣の回収作業が大掛かりになる。さらに、台間機の周辺に、紙幣処理装置の本体部を引き出すためのスペースと、紙幣収納部を本体部の側面から側方に向かって開くためのスペースが必要になるため、遊技場など、台間機の周辺のスペースが限られている場所では、紙幣のスムーズな回収作業に支障をきたすおそれがある。
【０００４】
これに対して、上記特許文献２においては、台間機の紙幣処理装置において、前面に設けられた紙幣挿入口から挿入した紙幣を紙幣収納部に並行して設置した紙幣搬送路を通して紙幣収納部の後端付近まで導き、そこで紙幣の向きを１８０度反転させて紙幣収納部の後端から該紙幣を該紙幣収納部内に収納するように構成し、更に、該紙幣収納部内に溜まった紙幣を取り出すために、該紙幣収納部の前端を開口部とし、そこに蓋を設け、該紙幣収納部を紙幣処理装置から前方に引き出して蓋を開けることで該紙幣収納部の前端の開口部から収納紙幣を取り出すように構成したことが示されている。このように、紙幣束を本体部の前面から取り出すタイプにあっては、上記特許文献１に記載された発明のような欠点が回避できる。
【０００５】
一方、上記特許文献３に係る紙幣処理装置では、紙幣収納部に収納された紙幣を回収する際には、本体部に対する紙幣収納部の配置を機械的に動かすことなく、紙幣収納部内に集積された紙幣束をモータ駆動によって本体部の前面のシャッタ式開口の方へ押し出して、紙幣束を本体部の前面から取り出すように構成されている。この特許文献３に係る紙幣処理装置も、紙幣束を本体部の前面から取り出すタイプであるため、上記特許文献１に記載された発明のような欠点が回避できる。
【発明の開示】
【発明が解決しようとする課題】
【０００６】
しかし、上記特許文献２においては、紙幣収納部の前端の開口部からしか収納紙幣を回収することができないため、紙幣収納部や紙幣通路の後側の部分は、簡単に開くことができず、紙幣収納部の内部や紙幣通路で紙幣が引っ掛かったり詰まったりするトラブルが発生した場合、その復旧作業を容易かつ迅速に行うことができないという問題がある。
【０００７】
また、上記特許文献３のように紙幣回収時に紙幣束のみを押し出す方式においても、紙幣収納部や紙幣通路の後側の部分は、簡単に開くことができないようになっているため、紙幣収納部の内部や紙幣通路で紙幣が引っ掛かったり詰まったりするトラブルが発生した場合、その復旧作業を容易かつ迅速に行うことができないという問題がある。
【０００８】
本発明は上述の点に鑑みてなされたものでありその目的は、簡単な構成で、紙幣収納部に収納された紙幣を効率良く回収することができ、しかも、紙幣収納部や紙幣通路で発生したトラブルの復旧作業を容易かつ迅速に行うことができる紙幣処理装置を提供することにある。
【課題を解決するための手段】
【０００９】
上記の課題を解決するため本発明の紙幣処理装置は、本体部と、前記本体部の前面に配置された紙幣挿入口と、前記本体部の内部に配置された紙幣収納部と、前記本体部の内部で前記紙幣挿入口から前記紙幣収納部へ通じる紙幣通路とを備え、前記紙幣挿入口に挿入された紙幣が前記紙幣通路を通って前記紙幣収納部に収納される紙幣処理装置であって、前記紙幣収納部の前端部を前記本体部の前面から露出させて、該露出した紙幣収納部の前端部を開口させることで収納紙幣を取り出すことができるようにする機構と、前記本体部の側面において前記紙幣収納部の内部を開く機構とを備え、前記紙幣収納部は、前記本体部に設けた少なくとも該本体部の前面と一方の側面とに開口する装着部に装着されており、前記紙幣収納部は、前記装着部から前記本体部の前方にスライド移動することで、前記本体部の前面からその一部が露出し、スライド移動しない状態で、その後端部が前記装着部から側方に回動してその後側の内部が開かれることを特徴とする。
【００１０】
また、前記紙幣通路は、前記紙幣収納部の紙幣一時保留用スペースに略直線的につながっており、該紙幣一時保留用スペースまで略直線的に搬送されてきた紙幣をその面に垂直な方向に移動することにより、前記紙幣収納部内に紙幣を集積する機構を具備しており、前記紙幣収納部が回動することで、前記紙幣一時保留用スペースが開かれるようにしてもよい。
【００１１】
また、前記紙幣収納部には、該紙幣収納部の後端部が回動する時、該紙幣収納部に収納された紙幣の後端辺と本体部側の面とを保持するように構成された紙幣保持部が形成されていてもよい。
【発明の効果】
【００１２】
本発明の紙幣処理装置によれば、紙幣収納部に収納された紙幣を本体部の前面から取り出して回収することができるため、簡単な構成で紙幣収納部に収納された紙幣を効率良く回収することができるようになると共に、紙幣収納部の内部が本体部の側面から開かれるように構成したので、紙幣収納部の内部で紙幣が引っ掛かったり詰まったりするトラブルが発生した場合に、その復旧作業を容易かつ迅速に行なえるようになる。
【発明を実施するための最良の形態】
【００１３】
以下、添付図面を参照して本発明の実施形態を詳細に説明する。図１及び図２は、本発明の一実施形態にかかる紙幣処理装置１の外観構成を示す斜視図であり、図１は、通路形成部４０と紙幣収納部２０とを本体部２に装着した状態を示す図で、図２は、通路形成部４０と紙幣収納部２０の一部とを本体部２から前面方向に露出させた状態を示す図である。また、図３及び図４は、紙幣処理装置１の内部構成を示す概略断面図であり、図３は、図１のＡ−Ａ部分の概略断面図で、図４は、図１のＢ−Ｂ部分の概略断面図である。紙幣処理装置１は、パチンコ台などの遊技台の台間に設置される台間機（図示せず）に取り付けられるものである。紙幣処理装置１は、略矩形の箱型に形成された本体部２と、本体部２の前面２ａに配置された紙幣を挿入する紙幣挿入口４と、本体部２内に配置された紙幣収納部２０と、紙幣収納部２０に連結された通路形成部４０とを備えており、本体部２と通路形成部４０との間で紙幣挿入口４から紙幣収納部２０に通じる紙幣通路５が形成されている。紙幣処理装置１は、紙幣挿入口４を台間機のフロントパネルに露出させて、本体部２の前面２ａより後側の部分を台間機の内部に挿入して取り付けられる。なお、以下の説明では、前側又は前というときは、本体部２の前面２ａ側を指し、後側又は後というときは、本体部２の前面２ａに対する後側を指す。
【００１４】
本体部２は、縦長の略長方形状に形成された前面２ａと、一対の側面２ｂ，２ｃとを備え、前面２ａから後側に向かう方向を長手方向とする略直方体形状に形成されている。本体部２には、紙幣収納部２０と通路形成部４０とを装着する装着部３が形成されている。装着部３は、本体部２の前面２ａから後側に向かって横長の略直方体形状に切り込まれた凹部からなる。装着部３は、本体部２の前面２ａと、本体部２の側面２ｂとに開放されている。
【００１５】
図５は、紙幣収納部２０を示す斜視図である。図１及び図５に示すように、紙幣収納部２０は、装着部３の後部に装着される２面が開口したボックスからなる。すなわち、紙幣収納部２０は、紙幣の外形に沿う横長の略長方形の箱型に形成されていて、その内部に紙幣が積層されて収納されるようになっている。紙幣収納部２０は、本体部２の側面２ｂに対応する側に側壁面２０ｂを有し、前端部２０ａと本体部２側の面とでその内部が開放されている。
【００１６】
紙幣収納部２０には、収納された紙幣を保持する紙幣保持片（紙幣保持部）２１が設けられている。紙幣保持片２１は、紙幣収納部２０の後端から本体部２側に突出する一の片２１ａと、一の片２１ａの先端から前側に延伸する他の片２１ｂとが一体に形成されてなる。一の片２１ａは、紙幣収納部２０に収納された紙幣の後端辺を保持し、他の片２１ｂは、当該紙幣の本体部２側の面を保持する。また、紙幣収納部２０の上下面の後端近傍には、上下に突出する突起２３が形成されている。また、紙幣収納部２０の上下面の前端近傍には、下記する回動機構２７を構成する軸部２６が形成されている。また、紙幣収納部２０には、紙幣収納部２０を開く際に操作する操作部２０ｃが設けられている。操作部２０ｃは、紙幣収納部２０の側面に形成された開口部からなる。
【００１７】
次に、本体部２に対して紙幣収納部２０を通路形成部４０と共に該本体部２の前面の方向に移動させるスライド機構３００について説明する。スライド機構３００は、本体部２の側に設けられたアーム部材３０と、該アーム部材３０に係合するように紙幣収納部２０の側に設けられた突起２３と、その他これらに関連する各種の部材で構成される。図１及び図３に示すように、装着部３内の紙幣収納部２０の上下には、一対のアーム部材３０が設置されている。両アーム部材３０は互いに対称な形状で、長手方向が前後方向に配置される棒状の部材である。アーム部材３０には、図３に示すように、長手方向に沿うスリット状の溝部３１が形成されている。溝部３１の前側の部分は、上下に開口した貫通穴３１ａとなっている。また、図１に示すように、アーム部材３０の後端の側面には、アーム部材３０を操作するための突起状の操作部３２が設けられている。また、図３に示すように、アーム部材３０の後端の上面又は下面には、円柱状の突起３４が形成されている。
【００１８】
装着部３内の各アーム部材３０の上下には、コイルバネ３５がそれぞれ設置されている。各コイルバネ３５は、本体部２とアーム部材３０との間に架けられている。アーム部材３０は、コイルバネ３５によって前側に付勢されている。また、図３に示すように、装着部３の上下面には、円柱状の突起９が形成されている。突起９は、アーム部材３０の貫通穴３１ａに挿入される。これにより、アーム部材３０は、突起９が貫通穴３１ａ内を移動する範囲で、装着部３内を前後にスライド移動する。一方、アーム部材３０の溝部３１には、紙幣収納部２０の突起２３が挿入される。これにより、紙幣収納部２０は、突起２３が溝部３１内を移動する範囲で、本体部２に対して（装着部３内を）前後にスライド移動する。通路形成部４０は紙幣収納部２０に連結されているため、紙幣収納部２０に伴って通路形成部４０が本体部２に対して（装着部３内を）前後にスライド移動する。
【００１９】
図６は、本体部２に設けられた挿入部３７を示す図で、図１のＥ−Ｅ部分の概略断面図である。同図に示すように、本体部２の装着部３には、アーム部材３０の突起３４を挿入させる挿入部３７が形成されている。挿入部３７は、装着部３の後部の上下面に形成されている。挿入部３７は、本体部２の側面２ｂから掘り込まれた入口部３７ａと、入口部３７ａの底部から前側に向かって直線状に延伸する係止部３７ｂとを有する略Ｌ字型の凹部からなる。また、入口部３７ａの前側の内面は、側面２ｂから遠ざかるにつれて後側に傾斜する傾斜面３７ｃになっている。
【００２０】
アーム部材３０の突起３４が、挿入部３７の係止部３７ｂに挿入されることで、アーム部材３０の後端部が、本体部２の側面２ｂから離れる方向へ移動しないようになる。通路形成部４０と紙幣収納部２０とを前後に移動させるときは、アーム部材３０が前後に移動する範囲で、突起３４が係止部３７ｂ内だけを前後に移動し、入口部３７ａまでは後退しない。したがって、紙幣収納部２０と通路形成部４０とが装着部３に装着されているときや、これらが装着部３から前側に取り出されているときは、突起３４が挿入部３７から抜け出ることはない。
【００２１】
また、図３に示すように、本体部２と通路形成部４０及び紙幣収納部２０との間には、通路形成部４０を装着部３内でロックする第１ロック機構８１と、紙幣収納部２０を装着部３内でロックする第２ロック機構８５とからなるロック機構が設けられている。このロック機構によって、コイルバネ３５の付勢力で装着部３から本体部２の前面の方向に移動しようとする通路形成部４０と紙幣収納部２０とが装着部３内でロックされる。換言すれば、スライド機構３００にあっては、このロックが解除されたとき、本体部２に対して紙幣収納部２０を通路形成部４０と共に該本体部２の前面２ａの方向に移動させることとなる。なお、ロック機構の構成及び動作は下記で詳細に説明する。
【００２２】
図７は、通路形成部４０を示す図で、同図（ａ）は、通路形成部４０の左側面を概略断面図にて示す図であり、同図（ｂ）は、通路形成部４０の概略右側面図である。また、図８は、紙幣回収の際に本体部２から前面方向に適量突出するように移動された通路形成部４０と紙幣収納部２０の一部とを示す斜視図である。通路形成部４０は、本体部２の装着部３の前部に装着される略矩形の箱型の部材である。通路形成部４０は、装着部３に装着された際に、その前面が本体部２の前面２ａ及び紙幣挿入口４の一部をなすようになっている。また、その際、本体部２側を向く通路形成面４１が、紙幣通路５の一方の面を形成するようになっている。
【００２３】
通路形成部４０は、紙幣収納部２０の前端部２０ａに回動機構２７で回動自在に連結されている。回動機構２７は、図８に示すように、紙幣収納部２０の軸部２６と、通路形成部４０に形成されて該軸部２６に回転自在に係合する係合片４２とで構成されている。回動機構２７は、通路形成部４０を紙幣収納部２０に対して左右に回動させるようになっている。また、係合片４２と紙幣収納部２０との間には、コイルバネ２５が架けられている。コイルバネ２５の付勢力で、通常時は、図８（ａ）に示すように、通路形成部４０が紙幣収納部２０とほぼ平行になっていて、通路形成部４０で紙幣収納部２０の前端部２０ａがほぼ塞がれている。一方、図８（ｂ）に示すように、通路形成部４０を回動させると、紙幣収納部２０の前端部２０ａが開放されるようになっている。
【００２４】
図９は、本体部２の一方の側面（装着部３が形成された側面）２ｂを示す側面図で、装着部３から紙幣収納部２０と通路形成部４０とを取り外した状態を示す図である。また、図１０は、本体部２の他方の側面２ｃを示す側面図である。図９に示すように、装着部３の側面（底面）に相当する本体部２の側面部分は、紙幣通路５の面を形成する通路形成面３ａになっている。通路形成面３ａの前部には、紙幣通路５に沿って紙幣を搬送する一対の搬送ベルト１１と、搬送ベルト１１がそれぞれ懸架された一対の駆動プーリ１２ａ及び従動プーリ１２ｂが設置されている。図１０に示すように、駆動プーリ１２ａには、シャフト１３ａと該シャフト１３ａに固定されたローラ１３ｂとで回転を伝達する回転伝達機構１３が接続されており、回転伝達機構１３を介してモータ１４の駆動力が駆動プーリ１２ａに伝達されて駆動プーリ１２ａが回転し、搬送ベルト１１が送られるようになっている。
【００２５】
また、図９に示すように、装着部３の前部の上下面には、紙幣識別用のセンサー光を投光する複数の投光口５１が設けられている。また、各投光口５１に対応する位置には、投光口５１へセンサー光を照射する発光素子５２が設置されている。また、装着部３の前部の通路形成面３ａには、投光口５１から投光されたセンサー光を受光する受光素子５３が設置されている。受光素子５３は、紙幣通路５の幅方向と前後方向の複数の個所に配置されている。後述するように、投光口５１から投光されたセンサー光は、受光素子５３に受光されるように、通路形成部４０内の導光部材５８によって方向転換される。また、通路形成面３ａには、紙幣識別用の磁気ヘッド５４が設置されている。磁気ヘッド５４は、紙幣通路５の左右両側近傍に一対設置されている。また、通路形成面３ａには、紙幣通路５を通る紙幣の引き抜きを防止する引き抜き防止シャッター７２が設置されている。引き抜き防止シャッター７２の構成及び動作については、下記で詳細に説明する。
【００２６】
一方、図７（ｂ）に示すように、通路形成部４０の通路形成面４１には、複数の従動ローラ６１が設置されている。各従動ローラ６１は、通路形成部４０が装着部３に装着された際に、各搬送ベルト１１に対向する位置に配置されている。また、通路形成面４１には、一対のローラ５５が設置されている。各ローラ５５は、通路形成部４０が装着部３に装着された際に、各磁気ヘッド５４に対向する位置に配置されている。ローラ５５は、紙幣通路５を通る紙幣を磁気ヘッド５４に圧接させるものである。また、通路形成面４１には、引き抜き防止シャッター７２の先端が挿入される溝部６２が形成されている。
【００２７】
また、通路形成部４０の上下面には、本体部２の投光口５１から投光された光が導入される導入口５６が設けられ、通路形成面４１には、導入口５６から導入された光が導出される導出口５７が設けられている。そして図７（ａ）に示すように、通路形成部４０内には、導光部材５８が設置されている。導光部材５８は、導入口５６から導入された光を導出口５７へ導くための部材で、導入口５６から導出口５７に通じている。導光部材５８は、透明又は半透明の合成樹脂製の部材からなる。各導光部材５８は、各導入口５６から上方又は下方に延伸し、その先で通路形成面４１の方へ直角に屈曲して、各導出口５７に至っている。
【００２８】
本体部２に設けられた発光素子５２及び受光素子５３と、通路形成部４０に設けられた導光部材５８とで、紙幣通路５を通る紙幣の有無、及び紙幣の表面の濃淡を検知する光センサーが構成されている。この光センサーでは、発光素子５２から照射されたセンサー光が、通路形成部４０の導入口５６から導光部材５８を介して導出口５７へ導かれる。導出口５７から出たセンサー光は、紙幣通路５を通る紙幣の面と直交する方向に紙幣通路５を横断して、受光素子５３で受光される。一方、上記の磁気ヘッド５４とローラ５５とで、紙幣通路５を通る紙幣による磁気の変化を検出する磁気センサーが構成されている。上記の光センサーと磁気センサーとで、紙幣挿入口４からの紙幣の挿入、及び挿入された紙幣の正偽を判別する紙幣識別手段が構成されている。
【００２９】
また、図４に示すように、本体部２と通路形成部４０との間に形成された紙幣通路５は、紙幣収納部２０の入口である投入紙幣一時保留用のスペース２００に略直線状に通じている。紙幣（投入紙幣）は紙幣通路５を通過する過程で正貨と判定されると、該紙幣の後端が紙幣通路５の搬送ベルト１１と従動ローラ６１との間で挟み込まれた状態で搬送停止される。この状態では、投入紙幣の大部分が投入紙幣一時保留用のスペース２００内に入り込んでおり、後述するように該投入紙幣の両側縁が一対の紙幣案内ドラム１０１のスリット１０１ａの間で保持され、その状態で一時保留される。この状態から投入紙幣を挿入口４に向けて返却する場合は、搬送ベルト１１の回転方向を逆向きに駆動して投入紙幣一時保留用のスペース２００にある紙幣を返却する。一方、投入紙幣の受け入れが確定すると、後述するように、一対の紙幣案内ドラム１０１の回転により、一時保留用スペース２００で一時保留されていた紙幣が紙幣収納部２０の方に（紙幣の面に垂直な方向に）押しやられ、該紙幣収納部２０内に収納される（紙幣束Ｗの上に集積される）。なお、公知のように、紙幣（投入紙幣）が紙幣通路５を通過する過程で偽貨と判定されると、搬送ベルト１１の回転方向を逆向きに駆動して紙幣挿入口４に向けて返却する。
【００３０】
ここで、紙幣通路５を通る紙幣の引き抜きを防止するシャッター機構７０について説明する。図１１は、シャッター機構７０の構成及び動作を説明するための図で、（ａ），（ｃ），（ｅ）は各種の動作状態における図１０のＣ−Ｃ部分の概略断面図、（ｂ），（ｄ），（ｆ）はそれに対応する図１０のＤ−Ｄ部分の概略断面図である。シャッター機構７０は、図１０及び図１１に示すように、本体部２に回転自在に取り付けられたシャフト７１と、シャフト７１に固定された引き抜き防止シャッター７２と、シャフト７１を回転させるシャッターレバー７３と、シャッターレバー７３を移動させるシャッターソレノイド７５を備えている。シャフト７１は、通路形成面３ａの裏面に設置され、その軸方向が前後方向に対して直交する上下方向に配置されている。引き抜き防止シャッター７２は、シャフト７１の周面から突出する突出片からなる。この引き抜き防止シャッター７２は、通路形成面３ａに設けた開口部１５から紙幣通路５内に出没するようになっている。シャフト７１は、図示しないコイルバネ（ねじりコイルバネ）などの付勢手段で、引き抜き防止シャッター７２が紙幣通路５内に突出する方向に回転するように付勢されている。また、シャフト７１の端部近傍には、シャッターレバー７３を当接させる当接部７１ａが設けられている。
【００３１】
シャッターレバー７３は、図１１に示すように、その長手方向が前後方向に沿うように延びた細長い平板状の部材である。シャッターレバー７３は、前後に移動可能に設置されている。また、シャッターレバー７３には、長手方向の側方に突出する突出部７３ｂが形成されている。突出部７３ｂは、シャッターソレノイド７５の可動芯に接続されている。したがって、シャッターソレノイド７５によってシャッターレバー７３は前後に移動される。また、シャッターソレノイド７５と突出部７３ｂとの間には、コイルバネ７６が設置されている。コイルバネ７６によって、シャッターレバー７３はシャフト７１から離れる方向に付勢される。また、シャッターレバー７３の一方の端部７３ａは、シャフト７１の当接部７１ａに当接するようになっている。一方、シャッターレバー７３の他方の端部７３ｃは、図９及び図１０に示すように、本体部２に設けた開口部１６から装着部３に突出している。このシャッターレバー７３の端部７３ｃに、装着部３内で移動するアーム部材３０が当接するようになっている。
【００３２】
次に、シャッター機構７０の動作について説明する。まず、図１１（ａ）及び（ｂ）に示す待機状態では、引き抜き防止シャッター７２が、紙幣通路５に突出して紙幣通路５を閉鎖している。このとき、シャッターソレノイド７５が作動しておらず、シャッターレバー７３はコイルバネ７６によってシャフト７１から離れるように付勢されていて、シャフト７１の当接部７１ａを押していない。この状態で、シャッターソレノイド７５を作動させると、図１１（ｃ）及び（ｄ）に示すように、シャッターレバー７３がシャフト７１に近づく方向に引かれ、シャッターレバー７３の端部７３ａがシャフト７１の当接部７１ａを押圧する。これにより、シャフト７１が同図に示す時計回りに回転し、引き抜き防止シャッター７２が紙幣通路５から退避する。シャッターソレノイド７５のオン・オフ制御は、搬送ベルト１１の駆動及び紙幣識別動作に連動させて行うのがよい。すなわち、挿入口４に紙幣が挿入されたことで搬送ベルト１１の紙幣取込駆動が開始されたら、シャッターソレノイド７５を作動して引き抜き防止シャッター７２を紙幣通路５から退避させ、投入紙幣が正貨と判別された瞬間にシャッターソレノイド７５をオフにして引き抜き防止シャッター７２を紙幣通路５に突出させる。また、一時保留用スペース２００に一時保留されていた紙幣を返却するために搬送ベルト１１の返却駆動が開始されたら、シャッターソレノイド７５を作動して引き抜き防止シャッター７２を紙幣通路５から退避させる。
【００３３】
また、シャッターソレノイド７５が作動しなくても、図１１（ｅ）及び（ｆ）に示すように、アーム部材３０が装着部３内で前側に移動すると、アーム部材３０がシャッターレバー７３に当接してこれを押圧する。すると、シャッターレバー７３がシャフト７１に近づく方向に移動し、シャッターレバー７３の端部７３ａがシャフト７１の当接部７１ａを押圧する。これにより、シャフト７１が同図に示す時計回りに回転し、引き抜き防止シャッター７２が紙幣通路５から退避する。なお、アーム部材３０が装着部３内で前側に移動している間は、アーム部材３０によって常にシャッターレバー７３が前側に押されているので、引き抜き防止シャッター７２が紙幣通路５から退避した状態が維持される。
【００３４】
次に、紙幣収納部２０と通路形成部４０とを装着部３内でロックするロック機構及びそのロックを解除するロック解除機構について説明する。図１２は、ロック機構とロック解除機構とを示す図で、本体部２の側面２ｃの部分拡大図である。同図に示すように、ロック機構は、通路形成部４０をロックする第１ロック機構８１と、紙幣収納部２０をロックする第２ロック機構８５とからなる。第１ロック機構８１は、本体部２に回転自在に取り付けられた第１ロック部材８２を備えている。第１ロック部材８２は、軸方向が前後方向に沿うように配置されたシャフト８３の外周に、回転自在に取り付けられている。第１ロック部材８２の周面には、小突起からなる第１ロック爪８２ａが形成されている。第１ロック爪８２ａは、第１ロック部材８２の回動によって、装着部３の下面の開口部１７（図９参照）から装着部３内に突出するようになっている。また、第１ロック部材８２の周面の他の位置には、下記するロック解除レバー９１の軸部９１ａを当接させる当接部８２ｂが設けられている。
【００３５】
第２ロック機構８５は、本体部２に回転自在に取り付けられた第２ロック部材８６を備えている。第２ロック部材８６は、第１ロック部材８２よりも後側の位置に設置されている。第２ロック部材８６は、第１ロック部材８２を取り付けているシャフト８３の後方の外周に回転自在に取り付けられている。第２ロック部材８６の周面には、小突起からなる第２ロック爪８６ａが形成されている。第２ロック爪８６ａは、第２ロック部材８６の回転によって、装着部３の下面の開口部１８（図９参照）から装着部３に突出するようになっている。また、第２ロック部材８６の周面の他の位置には、下記するロック解除レバー９１をリンク係合（回転自在に係合）させるリンク係合部８６ｂが設けられている。
【００３６】
第１ロック部材８２は、シャフト８３の外周に取り付けられたコイルバネ（ねじりコイルバネ）８４によって、第１ロック爪８２ａが開口部１７から突出するように付勢されている。一方、第２ロック部材８６は、下記するロック解除レバー９１を付勢するコイルバネ９２の付勢力で、第２ロック爪８６ａが開口部１８から突出するように付勢されている。
【００３７】
図１３は、紙幣収納部２０の一部と通路形成部４０とを下側から見た斜視図である。同図に示すように、通路形成部４０の下面には、第１ロック爪８２ａを係合させる第１係合部８８が設けられている。第１係合部８８は、通路形成部４０の下面を略矩形状に窪ませた凹部からなる。一方、紙幣収納部２０の下面には、第２ロック爪８６ａを係合させる第２係合部８９が設けられている。第２係合部８９は、紙幣収納部２０の下面を略矩形状に窪ませた凹部からなる。第２係合部８９の本体部２側の側面は切り欠かれている。なお、第１係合部８８の本体部２側の側面は切り欠かれていない。
【００３８】
次に、ロック解除機構９０について説明する。ロック解除機構９０は、図１２に示すように、第１ロック部材８２と第２ロック部材８６とを回動させるロック解除レバー（ロック解除部材）９１と、ロック解除レバー９１を移動させるロック解除ソレノイド９３と、ロック解除レバー９１を付勢するコイルバネ９２とを備えている。ロック解除レバー９１は、その長手方向が上下方向に配置された略棒状の部材で、上端が第２ロック部材８６のリンク係合部８６ｂにリンク係合されている。また、上端の側面には、円柱状の軸部９１ａが形成されている。軸部９１ａは、第１ロック部材８２の当接部８２ｂに当接するようになっている。一方、ロック解除レバー９１には、下端部から長手方向に対して直角に突出する突出部９１ｂが形成されている。この突出部９１ｂに、ロック解除ソレノイド９３の可動芯が接続されている。したがって、ロック解除ソレノイド９３によって、ロック解除レバー９１は上下に移動される。また、突出部９１ｂとロック解除ソレノイド９３との間には、コイルバネ９２が介在している。コイルバネ９２によって、ロック解除レバー９１は下方に付勢されている。
【００３９】
図１４は、第１ロック機構８１を前後方向から見た部分拡大断面図であり、図１５は、第２ロック機構８５を前後方向から見た部分拡大断面図である。これらの図を用いて第１ロック機構８１と第２ロック機構８５とロック解除機構９０の動作について説明する。まず、図１４に示す第１ロック機構８１では、通路形成部４０が装着部３に装着されているとき、図１４（ａ）に示すように、第１ロック爪８２ａが第１係合部８８に係合して通路形成部４０がロックされている。ロック解除ソレノイド９３が作動していない時は、ロック解除レバー９１がコイルバネ９２で下方に付勢されているので、ロック解除レバー９１の軸部９１ａが第１ロック部材８２を押圧しない。したがって、通路形成部４０のロックが維持される。その状態でロック解除ソレノイド９３が作動すると、図１４（ｂ）に示すように、ロック解除レバー９１が上方に移動され、第１ロック部材８２の当接部８２ｂが軸部９１ａで押圧されて、第１ロック部材８２が同図に示す時計回りに回転される。これにより、第１ロック爪８２ａと第１係合部８８との係合が外れ、第１ロック機構８１のロックが解除される。
【００４０】
図１５に示す第２ロック機構８５では、紙幣収納部２０が装着部３に装着されているとき、図１５（ａ）に示すように、第２ロック爪８６ａが第２係合部８９に係合して紙幣収納部２０がロックされている。ロック解除ソレノイド９３が作動していない時は、ロック解除レバー９１がコイルバネ９２によって下方に付勢されているので、紙幣収納部２０のロックが維持される。その状態でロック解除ソレノイド９３が作動すると、図１５（ｂ）に示すように、ロック解除レバー９１が上方に移動され、第２ロック部材８６が同図に示す時計回りに回転される。これにより、第２ロック爪８６ａと第２係合部８９との係合が外れ、第２ロック機構８５のロックが解除される。
【００４１】
上記のように、ロック解除ソレノイド９３が作動していない時は、第１ロック部材８２は、コイルバネ８４の付勢力で通路形成部４０をロックし、第２ロック部材８６は、コイルバネ９２の付勢力で紙幣収納部２０をロックしている。一方、ロック解除ソレノイド９３が作動すると、ロック解除レバー９１によって、第１ロック部材８２と第２ロック部材８６とが同時に回動される。これにより、第１ロック機構８１のロックと第２ロック機構８５のロックとが同時に解除される。
【００４２】
また、第１ロック機構８１は、第１ロック部材８２とコイルバネ８４とによって通路形成部４０をロックし、第２ロック機構８５は、第２ロック部材８６とコイルバネ９２とによって紙幣収納部２０をロックしている。このように、第１ロック機構８１と第２ロック機構８５とは、互いに独立の機構によってそれぞれ通路形成部４０と紙幣収納部２０とをロックしている。加えて、ロック解除レバー９１は、第２ロック部材８６に対しては、回転自在に接続されているが、第１ロック部材８２に対しては、ロック解除時に当接するだけで、接続されていない。これらにより、万一、紙幣収納部２０内の紙幣を盗む目的などで、本体部２の前面２ａから工具等の異物が挿入され、この異物で、紙幣挿入口４に近い第１ロック部材８２が強制的に回動されて、そのロックが解除された場合でも、第１ロック部材８２の回動によっては、第２ロック部材８６は回動せず、また、ロック解除レバー９１も移動しないので、第２ロック機構８５のロックは解除されずに済む。したがって、たとえ第１ロック機構８１のロックが不正に解除されても、それだけでは第２ロック機構８５のロックは解除されないので、紙幣収納部２０が装着部３から簡単に取り出されることを防止できる。よって、紙幣収納部２０に収納された紙幣の防盗性が向上する。
【００４３】
また、通路形成部４０をロックする第１ロック機構８１と、紙幣収納部２０をロックする第２ロック機構８５の二段のロック機構を設けたことで、通路形成部４０を装着部３に装着した際に、通路形成部４０の本体部２に対する位置決めの精度が高くなるという効果が望める。特に、紙幣処理装置１の紙幣識別手段である光センサーは、発光素子５２及び受光素子５３が本体部２に設けられており、導光部材５８は通路形成部４０に設けられているため、通路形成部４０の本体部２に対する位置決めが正確になされていないと、センサー光の光軸がずれてしまい、発光素子５２から出たセンサー光が受光素子５３で正確に受光されず、光センサーによる紙幣の正確な検知に影響が出るおそれがある。そのため、装着部３に装着された通路形成部４０の位置決めの精度を高くする必要がある。この点、紙幣処理装置１では、紙幣収納部２０と通路形成部４０とをコイルバネ３５で前側に付勢していると共に、第１ロック機構８１と第２ロック機構８５の二段のロック機構で、通路形成部４０と紙幣収納部２０とを別々にロックしているので、これらによって、通路形成部４０の位置決めの精度が高くなる。
【００４４】
ここで、紙幣処理装置１において、紙幣収納部２０内に収納された紙幣束を回収するために、本体部２から通路形成部４０と紙幣収納部２０ののとを部分的に引き出す（スライド移動する）際の動作について説明する。図１６及び図１７は、この動作を説明するための図である。まず先の図３に示すように、通路形成部４０と紙幣収納部２０とが装着部３に装着されているときは、紙幣収納部２０の突起２３がアーム部材３０の溝部３１の後端部に当接している。一方、アーム部材３０は、コイルバネ３５の付勢力で前側に付勢されているので、紙幣収納部２０がアーム部材３０によって前側に押された状態になっている。また、その一方で、第１ロック機構８１で通路形成部４０がロックされ、第２ロック機構８５で紙幣収納部２０がロックされている。これらによって、紙幣収納部２０と通路形成部４０とは、装着部３内で前後の移動がロックされて停止している。
【００４５】
この状態で、ロック解除ソレノイド９３を作動させてロック解除レバー９１を移動させ、第１ロック機構８１と第２ロック機構８５のロックを同時に解除すると、コイルバネ３５の付勢力で前側に移動するアーム部材３０が、紙幣収納部２０の突起２３を押すことで、図１６に示すように、通路形成部４０と紙幣収納部２０とが、装着部３から前側にスライド移動する。アーム部材３０は、装着部３の前面に当接する位置まで前側にスライド移動して、その位置で停止する。本体部２の前面２ａから出た通路形成部４０を手でさらに前側に引き出せば、紙幣収納部２０と通路形成部４０とが前側にスライド移動する。図１７に示すように、紙幣収納部２０の突起２３と本体部２の突起９とが当接する位置で、紙幣収納部２０と通路形成部４０とが停止する。こうして、紙幣収納部２０の前側の部分と通路形成部４０とが、本体部２の前面２ａから部分的に引き出され（前面方向に露出され）、移動を終了する。
【００４６】
一方、通路形成部４０と紙幣収納部２０とが前側に移動を開始するときに、装着部３内で前側に移動するアーム部材３０が、装着部３の前面に当接する前に、シャッターレバー７３の端部７３ｃに当接してこれを押圧する。これにより、シャッターレバー７３が前側に移動する。移動するシャッターレバー７３がシャフト７１を回転させることで、引き抜き防止シャッター７２が回動して、紙幣通路５の断面から退避する。したがって、通路形成部４０と紙幣収納部２０とが装着部３から取り出される際に、引き抜き防止シャッター７２が紙幣通路５から退避するので、通路形成部４０や紙幣収納部２０、あるいは紙幣収納部２０に収納されている紙幣などに、引き抜き防止シャッター７２が引っ掛かるおそれがなく、通路形成部４０と紙幣収納部２０との取り出しがスムーズに行なわれる。また、引き抜き防止シャッター７２が、通路形成部４０などに接触してシャッター機構７０が故障することを防止できる。
【００４７】
さらに、通路形成部４０と紙幣収納部２０とが装着部３から移動する間は、コイルバネ３５によってアーム部材３０が常に前側に付勢されているので、シャッターレバー７３が前側へ押された状態が維持されて、引き抜き防止シャッター７２が紙幣通路５から退避した状態が維持される。したがって、通路形成部４０と紙幣収納部２０とを装着部３から前方に移動する間や、これらを装着部３へ戻すときにも、通路形成部４０や紙幣収納部２０に引き抜き防止シャッター７２が接触するおそれがない。
【００４８】
装着部３から本体部２の前面方向に通路形成部４０と紙幣収納部２０とを移動し終えたら、図８（ｂ）に示すように、通路形成部４０を回動させることで、紙幣収納部２０の前端部２０ａを開く（前端部２０ａの開口を露出させる）ことができる。これにより、紙幣収納部２０に収納されている紙幣Ｗを前方に向かって真直ぐに取り出すことができるので、紙幣の取り出しが容易に行なえる。また、紙幣の回収作業を紙幣処理装置１の前方のスペースだけで行えるようになる。
【００４９】
また、移動後の通路形成部４０と紙幣収納部２０とを本体部２に戻すには、通路形成部４０と紙幣収納部２０とを本体部２の前面２ａから押し込む。すると、紙幣収納部２０の突起２３がアーム部材３０の溝部３１の後端部に当接し、アーム部材３０が押されて後側へ移動する。通路形成部４０と紙幣収納部２０とが装着部３に完全に装着される位置で、第１ロック機構８１と第２ロック機構８５とがロックされる。これにより、通路形成部４０と紙幣収納部２０とが装着部３に装着される。
【００５０】
次に、紙幣通路５の紙幣を紙幣収納部２０へ収納する紙幣収納機構について説明する。紙幣収納機構は、図９に示すように、本体部２の装着部３内に設置された一対の紙幣案内ドラム１０１と、紙幣押圧プレート１１０とを備えている。紙幣案内ドラム１０１は、通路形成面３ａの上部及び下部にそれぞれ配置されている。紙幣案内ドラム１０１は、その回転軸が前後方向に延びるように配置された中空円筒状の部材で、中心軸を中心に回転自在に設置されている。紙幣案内ドラム１０１の側面には、図４に示すように、軸方向に沿って直線状のスリット１０１ａが形成されている。前述のように、紙幣挿入口４から挿入された紙幣（投入紙幣）は、紙幣通路５を通過し、更に直線的に進行して一対の紙幣案内ドラム１０１の両スリット１０１ａの間に侵入し、該スリット１０１ａに案内されて投入紙幣一時保留用のスペース２００内に投入紙幣の大部分が入り込んだ状態で搬送ベルト１１の駆動が停止され、該スペース２００内にて投入紙幣が一時保留される。このとき、投入紙幣の後端が紙幣通路５の搬送ベルト１１と従動ローラ６１とで挟み込まれていて、搬送ベルト１１を逆駆動することで投入紙幣の返却が可能である。
【００５１】
また、本体部２には、図１０に示すように、紙幣案内ドラム１０１を回転させるモータ１０２と、モータの回転を伝達する回転伝達機構（図示せず）が設置されている。モータ１０２による回転が、回転伝達機構で両紙幣案内ドラム１０１に伝達されることで、両紙幣案内ドラム１０１は、互いに同位相で逆方向に回転するようになっている。また、紙幣押圧プレート１１０は、両紙幣案内ドラム１０１の間であって、紙幣案内ドラム１０１の長手方向の中間部付近に設置されている板状の部材である。この紙幣押圧プレート１１０は、紙幣案内ドラム１０１の回転に連動してその面が紙幣収納部２０に近づく方向に移動するように構成されている。投入紙幣の受け入れが確定すると、一対の紙幣案内ドラム１０１を前述のように互いに逆方向に回転させ、かつ紙幣押圧プレート１１０の押し込み動作を行わせることで、一時保留用スペース２００で一時保留されていた紙幣を紙幣収納部２０の方に（紙幣の面に垂直な方向に）押しやり、該紙幣収納部２０内に収納する（紙幣束Ｗの上に集積する）。このとき、搬送ベルト１１を順方向に駆動して、投入紙幣の後端が紙幣通路５の搬送ベルト１１と従動ローラ６１との間に挟み込まれていた状態を解除するとよい。
【００５２】
なお、この紙幣収納機構には、さらに、紙幣収納部２０に収納された紙幣が一時保留用スペース２００の方へ戻ることを防止する逆戻り防止機構を設けることも可能である。この逆戻り防止機構としては、図示及び詳細な説明は省略するが、例えば、通路形成部４０の後部から紙幣収納部２０の前端部２０ａに突出する逆戻り防止片を備えることができる。
【００５３】
次に、紙幣処理装置１における、紙幣挿入口４に紙幣が挿入された際の紙幣の処理動作について説明する。紙幣挿入口４に紙幣が挿入されると、紙幣通路５の最前部の光センサーによって紙幣の挿入が検出される。するとシャッターソレノイド７５が作動し、引き抜き防止シャッター７２が紙幣通路５から退避して、紙幣通路５が開放される。また、紙幣の挿入の検知に基づいて、モータ１４が駆動されて搬送ベルト１１が順方向に送られる。これにより、紙幣挿入口４に挿入された紙幣が搬送ベルト１１と従動ローラ６１で把持されて、紙幣通路５を前側から後側に搬送されていく。紙幣が紙幣通路５を通る際に、紙幣識別手段によって紙幣の正偽が判別される。
【００５４】
紙幣識別手段によって紙幣が正貨と判断されると、この正貨と判断された紙幣は前述のように一時保留用スペース２００で一時保持される。一方、紙幣が偽貨と判断されると、搬送ベルト１１の送り方向が逆転されて、紙幣が紙幣挿入口４へ戻されて返却される。なお、投入紙幣が正貨と判断され、かつ、適宜の光センサーで紙幣の後端が引き抜き防止シャッター７２を通過したことが確認されると、シャッターソレノイド７５が停止され、引き抜き防止シャッター７２が紙幣通路５に突出して紙幣通路５が閉鎖される。
【００５５】
前述のように、一時保留用スペース２００で一時保留している投入紙幣の受け入れが確定すると、紙幣案内ドラム１０１が回転され、各紙幣案内ドラム１０１の各スリット１０１ａで両側縁が保持された紙幣は、該紙幣案内ドラム１０１の回転により紙幣面に垂直な方向に、すなわち紙幣収納部２０内へ押される。また、その際、紙幣案内ドラム１０１の回転に連動して、紙幣押圧プレート１１０が紙幣収納部２０の方へ移動し、紙幣をその面に垂直な方向にすなわち紙幣収納部２０の内部へ押し出す。これらによって、紙幣が紙幣収納部２０に収納される。紙幣が紙幣案内ドラム１０１と紙幣押圧プレート１１０で紙幣収納部２０へ押し出された後、紙幣案内ドラム１０１が更に回転して、最初に紙幣を受け入れる初期位置に戻る。そのとき紙幣押圧プレート１１０も初期位置に戻る。これにより、紙幣収納機構が次の紙幣を受け入れ可能な状態になる。
【００５６】
次に、遊技機に設置されている状態から台間機を引き出して、更に、紙幣処理装置１の本体部２から紙幣収納部２０の一部を取り外して該紙幣収納部２０の内部を開くことができるようにした構成及び動作について説明する。この動作は、例えば紙幣収納部２０の奥に紙幣が詰まった場合など、故障対策時に実行する。図１８は、本体部２において紙幣収納部２０の内部を開いた状態を示す側面図で、本体部２の下面側から紙幣収納部２０と通路形成部４０とを見た図である。なお、同図では、コイルバネ３５の図示は省略している。同図に示すように、紙幣収納部２０は、回動機構２７を支点に、本体部２の側面２ｂから側方に回動されることで、その内部が開かれるようになっている。このとき、通路形成部４０は装着部３に装着されたままで、紙幣収納部２０だけが回動される。
【００５７】
図１９は、紙幣収納部２０の内部が開かれる際のアーム部材３０の動作を説明するための図である。なお、同図では、本体部２の一部とアーム部材３０とだけを図示し、他の部分は図示を省略している。紙幣収納部２０が装着部３に装着されているときは、同図（ａ）に示すように、アーム部材３０の突起３４が、挿入部３７の係止部３７ｂ内に配置されている。その状態から、両アーム部材３０の操作部３２を操作することで、両アーム部材３０を後側に引き下げる。すると、同図（ｂ）に示すように、アーム部材３０の突起３４が係止部３７ｂ内を後側に移動して、入口部３７ａに抜け出る。その状態で、紙幣収納部２０の操作部２０ｃを持ち、紙幣収納部２０を回動させてその後端部を装着部３から引き出す。すると、同図（ｃ）に示すように、アーム部材３０の突起３４が、挿入部３７の入口部３７ａから抜け出る。こうして、図１８に示すように、アーム部材３０と紙幣収納部２０とが、本体部２の側面２ｂから側方へ回動する。これにより、紙幣収納部２０の内部が開かれる。また、紙幣収納部２０の回動によって、紙幣収納部２０の入口スペースである一時保留用スペース２００も開かれる。
【００５８】
また、紙幣収納部２０と通路形成部４０とが装着部３に装着されているときは、通路形成部４０が第１ロック機構８１でロックされ、紙幣収納部２０が第２ロック機構８５でロックされている。この状態で、紙幣収納部２０を回動させて開くが、紙幣収納部２０の第２係合部８９は、その本体部２側の側面が切り欠かれているため、第２ロック爪８６ａを第２係合部８９に係合させたまま、紙幣収納部２０を回動させれば、第２ロック爪８６ａが第２係合部８９から抜け出る。したがって、ロック解除機構９０によるロック解除操作を行わずに、紙幣収納部２０を回動させることができる。なおこのとき、第１ロック爪８２ａは第１係合部８８に係合したままなので、紙幣収納部２０を回動させても、通路形成部４０や紙幣収納部２０の前後方向の位置がずれることはない。
【００５９】
前述のように、紙幣収納部２０の内部や紙幣通路５で紙幣が引っ掛かったり詰まったりするトラブルが発生した場合、台間機を引き出した上で、上記の手順によって、紙幣収納部２０の内部を開く。これにより、紙幣収納部２０の内部や紙幣通路５の紙幣を簡単に取り除くことができる。したがって、トラブルの際の復旧作業が容易かつ迅速に行えるようになる。また、紙幣収納部２０の内部や紙幣通路５のメンテナンスが容易に行えるようになる。
【００６０】
特に、紙幣収納部２０の内部や一時保留用スペース２００は、本体部２の前面２ａから離れているため、本体部２の前面２ａから紙幣通路５を通して工具等を挿入しても届きにくい。そのため、従来の紙幣処理装置のように紙幣収納部を簡単に開くことができない構造であると、これらの部分でトラブルが発生した場合、その復旧作業に手間と時間がかかる。しかしながら、本実施形態の紙幣処理装置１では、紙幣収納部２０を回動させるだけで、紙幣収納部２０の内部や一時保留用スペース２００を開くことができるので、これらの部分でトラブルが発生した場合でも、その復旧作業を容易且つ迅速に行えるようになる。
【００６１】
また、紙幣収納部２０の後端部には、紙幣収納部２０に収納された紙幣を保持する紙幣保持片２１が形成されている。したがって、紙幣収納部２０の後端部を開くときに、紙幣保持片２１で紙幣収納部２０内の紙幣が抱えられるので、紙幣収納部２０の紙幣が本体部２内に残らずに済む。これにより、紙幣処理装置１のメンテナンスがさらに行い易くなる。特に、紙幣保持片２１は、紙幣収納部２０に収納された紙幣の後端辺を保持する一の片２１ａと、該紙幣の本体部２側の面を保持する他の片２１ｂとを備えてなるので、紙幣収納部２０の後側が開かれる際に、収納されている紙幣の後側の部分が抱えられて本体部２から取り出される。よって、本体部２内に紙幣が残りにくいので、紙幣処理装置１のメンテナンスがさらに行い易くなる。
【００６２】
一方、紙幣収納部２０を装着部３へ戻すには、図１９（ｃ）に示す状態から、アーム部材３０を本体部２の方へ回動させる。すると、アーム部材３０の突起３４が挿入部３７の傾斜面３７ｃに当接する。アーム部材３０をさらに本体部２側へ回動させると、突起３４が傾斜面３７ｃで押されることで、アーム部材３０がコイルバネ３５の付勢力に抗して後側に移動する。これにより、突起３４が傾斜面３７ｃを乗り越えて係止部３７ｂに挿入される。こうして、紙幣収納部２０が装着部３に装着される。
【００６３】
なお、紙幣処理装置１では、紙幣の回収作業のときは、紙幣収納部２０の紙幣を本体部２の前面２ａから取り出すようになっているので、上記の紙幣収納部２０の内部を開く操作は、紙幣収納部２０や紙幣通路５でトラブルが発生した場合や、紙幣収納部２０や紙幣通路５のメンテナンスをするときだけに行うものである。したがって、紙幣処理装置１の本体部２を台間機から出し入れする作業は、頻繁に行う必要がない。
【００６４】
以上説明したように、本実施形態の紙幣処理装置１では、本体部２の側面２ｂから紙幣収納部２０の内部を開くことができるように構成したので、紙幣収納部２０や紙幣一時保留用スペース２００で紙幣が引っ掛かったり詰まったりするトラブルが発生した場合に、紙幣収納部２０や紙幣一時保留用スペース２００の紙幣を簡単に取り除くことができる。したがって、トラブルの際の復旧作業を容易かつ迅速に行なえるようになる。
【００６５】
また、紙幣処理装置１では、紙幣収納部２０は、装着部３から本体部２の前方にスライド移動することで、その前端部２０ａが本体部２の前面２ａから取り出されると共に、装着部３から本体部２の側方に回動することで、その内部が開かれるようになっている。これにより、簡単な構造で、紙幣の回収の際は、本体部２の前面２ａから紙幣を取り出すことができ、紙幣処理装置１のメンテナンスの際は、紙幣収納部２０を本体部２の側方に開くことができるようになる。
【００６６】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、上記実施形態の紙幣処理装置１が備える紙幣収納部２０の構成は一例であり、本発明の紙幣処理装置が備える紙幣収納部は、収納された紙幣を本体部の前面から取り出して回収できると共に、本体部の側面からその内部を開くことができるように構成したものであれば、上記以外の構成とすることも可能である。
【００６７】
また、上記実施形態で示す紙幣収納部２０をスライド移動させる機構や、紙幣収納部２０を回動させる機構は一例であり、本発明の紙幣処理装置が備える紙幣収納部をスライド移動さる機構や回動させる機構としては、上記実施形態で示す機構以外の機構を採用することも可能である。また、上記実施形態で示す紙幣保持部の具体的な形状は一例であり、本発明の紙幣処理装置が備える紙幣保持部は、上記の紙幣保持片２１とは異なる他の形状であってもよい。
【図面の簡単な説明】
【００６８】
【図１】本発明の一実施形態にかかる紙幣処理装置を示す斜視図である。
【図２】本発明の一実施形態にかかる紙幣処理装置を示す斜視図である。
【図３】紙幣処理装置の内部構成を示す図で、図１のＡ−Ａ部分の概略断面図である。
【図４】紙幣処理装置の内部構成を示す図で、図１のＢ−Ｂ部分の概略断面図である。
【図５】紙幣収納部を示す斜視図である。
【図６】アーム部材の突起部が挿入される挿入部を示す図で、図１のＥ−Ｅ部分の概略断面図である。
【図７】通路形成部を示す図で、（ａ）は、通路形成部の概略断面図で、（ｂ）は、通路形成部の概略側面図である。
【図８】本体部から取り出された通路形成部と紙幣収納部とを示す斜視図である。
【図９】本体部の一方の側面を示す側面図で、装着部から紙幣収納部と通路形成部とを取り外した状態を示す図である。
【図１０】本体部の他方の側面を示す側面図である。
【図１１】シャッター機構の構成及び動作を説明するための図で、図１０のＣ−Ｃ部分及びＤ−Ｄ部分の概略断面図である。
【図１２】ロック機構とロック解除機構を示す部分拡大図である。
【図１３】紙幣収納部と通路形成部を下面側から見た斜視図である。
【図１４】第１ロック機構の詳細構成を示す部分拡大断面図である。
【図１５】第２ロック機構の詳細構成を示す部分拡大断面図である。
【図１６】通路形成部と紙幣収納部とが取り出される際の動作を説明するための図である。
【図１７】通路形成部と紙幣収納部とが取り出される際の動作を説明するための図である。
【図１８】紙幣収納部が開かれた状態を示す図で、本体部の下面側から紙幣収納部と通路形成部とを見た図である。
【図１９】紙幣収納部が開かれるときのアーム部材の動作を説明するための図である。
【符号の説明】
【００６９】
１    紙幣処理装置
２    本体部
２ａ    前面
３    装着部
３ａ    通路形成面
４    紙幣挿入口
５    紙幣通路
２０    紙幣収納部
２０ａ    前端部
２１    紙幣保持片（紙幣保持部）
２７    回動機構
３０    アーム部材
３４    突起部
３５    コイルバネ
３７    挿入部
４０    通路形成部
４１    通路形成面
５２    発光素子
５３    受光素子
５４    磁気ヘッド
５５    プレッシャーローラ
５６    導入部
５７    導出部
５８    導光部材
７０    シャッター機構
７２    引き抜き防止シャッター
７３    シャッターレバー
７５    シャッターソレノイド
７６    コイルバネ
８１    第１ロック機構
８２    第１ロック部材
８２ａ    第１ロック爪
８２ｂ    当接部
８３    シャフト
８４    コイルバネ
８５    第２ロック機構
８６    第２ロック部材
８６ａ    第２ロック爪
８６ｂ    リンク係合部
８８    第１係合部
８９    第２係合部
９０    ロック解除機構
９１    ロック解除レバー（ロック解除部材）
９２    コイルバネ
９３    ロック解除ソレノイド
１０１    紙幣案内ドラム
１０１ａ  スリット
【図１】
2008257379.tif 000003
【図２】
2008257379.tif 000004
【図３】
2008257379.tif 000005
【図４】
2008257379.tif 000006
【図５】
2008257379.tif 000007
【図６】
2008257379.tif 000008
【図７】
2008257379.tif 000009
【図８】
2008257379.tif 000010
【図９】
2008257379.tif 000011
【図１０】
2008257379.tif 000012
【図１１】
2008257379.tif 000013
【図１２】
2008257379.tif 000014
【図１３】
2008257379.tif 000015
【図１４】
2008257379.tif 000016
【図１５】
2008257379.tif 000017
【図１６】
2008257379.tif 000018
【図１７】
2008257379.tif 000019
【図１８】
2008257379.tif 000020
【図１９】
2008257379.tif 000021